(57)【要約】      （修正有）【課題】１本の電子ペンを使用して複数の色の手書き情報を表現する。【解決手段】電子ペンによる手書き情報を電子的データとして記録するための入力用電子ペンにおいて、軸本体内に複数の筆記体と手書き入力を検出するスイッチを有し、該筆記体は弾撥部材により後方に付勢されているが、筆記体と手書き入力を検出するスイッチの後端に取り付けられているスライダ−を前進せしめ、該スライダ−を軸本体に係合させることにより、前記筆記体を軸本体から突出させるが如くした電子ペンにおいて、突出した筆記体による複数の筆記色を紙面上の色のデータと電子化された色のデータとを整合性をもって手書き情報を入力できる多芯電子ペン。【選択図】図１
2009211169.tif 000002
【特許請求の範囲】
【請求項１】
前軸と後軸から構成され、内部に複数種類の筆記体を有し、手書情報を電子データとして記憶するための電子ペンにおいて、前記筆記体を保持する接続部にはスイッチが設けられ、スライダーの操作により前記筆記体が繰り出され、前記後軸後方には電源電池と、各種演算を行うＣＰＵ、筆記体の情報を電子情報に変換するプログラムを格納したメモリを設けた制御基盤が設けられ、該制御基盤と前記スイッチは、信号線を介して接続されており、前記スライダーの操作により、繰り出された筆記体が紙面に当接されると、筆記体受けが前記スイッチを押圧し、前記信号線を介してスイッチを押圧した筆記体の情報が、制御基盤に設けたＣＰＵに送信され、予めメモリに格納されている筆記体の情報を電子化するプログラムを介して電子情報に変換することを特徴とする電子ペン。
【発明の詳細な説明】
【技術分野】
【０００１】
本発明は、電子ペンによる手書き情報を電子的データとして記録するための入力用電子ペンにおいて、軸本体内に複数の筆記体を有し、突出した筆記体毎の手書きによる紙面上の筆記体のデータと整合性の取れた電子化されたデータをもつ手書き情報が得られる電子ペンに関する。
【従来の技術】
【０００２】
従来、電子ペンにおいて複数の筆記色で筆記した紙面上の色のデータと、電子化された色のデータとを整合性をもって手書き情報を入力する際、例えば１本の電子ペンで複数の筆記色の手書き情報を入力するものとして、電子ペン本体に設置してあるスイッチを切換えることで電子化される色のデータを切り替え、筆記体を前記電子化された色のデータと同じ筆記体の色に交換して筆記することで手書き情報を入力する物や、例えば、赤い色で手書き入力する場合は、赤い筆記体と赤色の電子化された色のデータを持つ電子ペン、青い色で入力する場合は、青い筆記体と青色の電子化された色のデータを持つ電子ペンの様に、各々の電子ペンには電子化された色のデータと同色の筆記体を有することで手書き情報を入力しているために、色データの本数分の電子ペンを必要としていた。
【特許文献１】特開２００７−２３３５７７号
【発明の開示】
【発明が解決しようとする課題】
【０００３】
しかし、上記従来技術にあっては、１本の電子ペンを使用して複数の色の手書き情報を表現しようとする場合には、筆記体を複数用意して筆記体を交換する度に、電子ペンに設けられている切換えスイッチを切換えて、筆記体の色や筆記体と電子ペンの色のデータの整合性を得る方法や、１色の筆記体と、この筆記体と同色の１色の色のデータが設定された電子ペンを、複数本用意して、色を変える毎に電子ペンを持ち変えて、複数の色の手書き情報を表現しなければならなかった。
【課題を解決するための手段】
【０００４】
本発明は、上記課題を解決するためになされたものであり、前軸と後軸から構成され、内部に複数種類の筆記体を有し、手書情報を電子データとして記憶するための電子ペンにおいて、前記筆記体を保持する接続部にはスイッチが設けられ、スライダーの操作により前記筆記体が繰り出され、前記後軸後方には電源電池と、各種演算を行うＣＰＵ、筆記体の情報を電子情報に変換するプログラムを格納したメモリを設けた制御基盤が設けられ、該制御基盤と前記スイッチは、信号線を介して接続されており、前記スライダーの操作により、繰り出された筆記体が紙面に当接されると、筆記体受けが前記スイッチを押圧し、前記信号線を介してスイッチを押圧した筆記体の情報が、制御基盤に設けたＣＰＵに送信され、予めメモリに格納されている筆記体の情報を電子化するプログラムを介して電子情報に変換する電子ペンを提案するものである。
【発明の効果】
【０００５】
本発明の電子ペンは、軸本体内に複数の筆記体を有しており、該筆記体は弾撥部材により後方に付勢されているが、筆記体の後端に取り付けられているスライダ−を前進せしめ、該スライダ−を軸本体に係合させることにより、前記筆記体を軸本体から突出させるが如くした多芯電子ペンにおいて、スイッチの切換えや交換用の筆記体を別に用意する事や、複数本の色の情報を持つ電子ペンを別々に用意することなく、スライダーの切換えによる簡単な操作で突出した筆記体による複数の筆記色を紙面上のデータと電子化されたデータとを整合性をもって手書き情報を入力することが可能となる。
【実施例】
【０００６】
図１、図２に本発明の１例を示し説明する。本実施例の説明の中で、電子ペンの軸本体１を前軸２、後軸３という言葉を使用して説明しているが、軸本体１に設けられている接続部を境界に、下側を前軸２、上側を後軸３として説明している。
図１、図２に示したものは、２色のボ−ルペンが摺動自在に配置されている多芯電子ペンである。本実施例では、ボールペンを例としたが、ボ−ルペンばかりではなく、シャ−プペンシルなどであっても良い。参照符号１は、軸本体であり、その軸本体１は、前述したように前軸２と後軸３と蓋４、センサーカバー５より構成されている。
【０００７】
前記後軸３には、その長手方向に２個のスリット６が形成されている。本例においては、２個のスリット６が形成されているが、筆記体であるボ−ルペンの数が２本であるためであり、この筆記体の本数によってスリットを形成する数も変わるものである。また、スリット６は、後軸３の一方の端部まで形成されていると共に、スリット６の両側には、摺動溝７（図３参照）が形成されている。前記後軸３の前方には、脚部８が形成されている。よって、筆記体の数によって脚部８の数も変わる。
【０００８】
前記後軸３のスリット６には、スライダ−１１が摺動自在に配置されている。このスライダ−１１の長手方向の両側には、摺動突起１２（図３参照）が形成されており、前記スリット６に形成された摺動溝７（図３参照）に摺動自在に係合している。このスライダ−１１の背面には、間隔をおいて２つの解除突起１３、１４が形成されており、スライダ−１１の前端部には、手書き入力を検出するスイッチ１５が設置され、球体の接続を受ける接続部１６が形成されている。そして、接続部１６には、ボ−ルペンやシャ−プペンシルなどの筆記体受け１７が球状の突起によって、接続部１６と可動自在に接続されており、また筆記体受け１７には筆記体１８が接続されている。参照符号９は、筆記体１８並びに筆記体１８に接続する筆記体受け１７、スライダ−１１を後方に付勢するコイルスプリングなどの弾撥部材である。スライダ−１１の後端には、前記したように手書き入力を検出するスイッチ１５からの信号線１９が、スライダ−１１の内部を通して制御基板２０に接続されている。またセンサーカバー５の中には、手書き入力信号を発信するピエゾ素子２１とＬＥＤ１０が設置されている。また軸本体１の後端に電池２２が配置されており、制御基板２０に設けられている演算装置によって手書き信号を図示しない受信装置に向かって発信する。
【０００９】
次に動作について説明する。特定のスライダ−１１を前方（図中下方）に押圧すると、スライダ−１１は、スリット６並びに摺動溝７に案内されながら、筆記体１８を伴い前進し、筆記体１８の先端が軸本体１の先端より突出する。と、同時に、スライダ−１１が軸本体１の内側に押し込まれ、次いで、スライダ−１１の側面部に形成されている摺動突起１２の後端が、摺動溝７の前端部に係合し、筆記体１８の後退作用を阻止する。つまり、この摺動溝７をスリット１１の中間部までしか形成しないことにより、スライダ−１１の係合をも兼ねるようになっている。
また、突出した筆記体１８によって手書き入力されると、筆記体１８の手書き入力による力により、筆記体１８の接続された筆記体受け１７がスイッチ１５を加圧する。制御基板２０は加圧されたスイッチ１５からの手書き入力を検出し、突出されている筆記体１８はスイッチ１５の作動により、制御基板２０は作動したスイッチ１５が、どの筆記体１８の筆記色または筆記体の種類に対応する色データ、太さや細さに設定されているか判別し、突出された筆記体の筆記情報と整合性を持った手書き入力情報を、ピエゾ素子２１とＬＥＤ１０によって手書き信号を図示しない受信装置に向かって発信する。
【００１０】
次に、筆記体１８を軸本体１に収納したい場合には、他のスライダ−１１を押圧する。他のスライダ−１１を押圧すると、互いのスライダ−１１の背面に形成されている解除突起１３、１４が衝突する。この衝突作用により、押圧されている状態にあるスライダ−１１が軸筒本体１の外側方向に押圧されるそして、この押圧作用により、前記スライダ−１１の摺動突起と摺動溝７との係合が解除され、その解除作用により突出している状態にある筆記体１６が弾撥部材９の作用により後退し、軸本体１内に没入する。
【図面の簡単な説明】
【００１１】
【図１】本実施例の多芯電子ペン構成図
【図２】本実施例の多芯電子ペン動作説明図
【図３】本実施例の多芯電子ペン動作説明図のＣ部拡大図
【符号の説明】
【００１２】
１    軸本体
２    前軸
３    後軸
４    蓋
５    センサーカバー
６    スリット
７    摺動溝
８    脚部
９    弾撥部材
１０  ＬＥＤ
１１  スライダー
１２  摺動突起
１３  解除突起
１４  解除突起
１５  スイッチ
１６  接続部
１７  筆記体受け
１８  筆記体
１９  信号線
２０  制御基板
２１  ピエゾ素子
２２  電池
【図１】
2009211169.tif 000003
【図２】
2009211169.tif 000004
【図３】
2009211169.tif 000005